(57)【特許請求の範囲】
【請求項１】
電気掃除機本体に電動送風機と電源コード収納部を有し、電気掃除機本体外郭に電源コードを出すためのコード開口部とプラグ収納部を有する電気掃除機において、プラグ収納部の端部が湾曲しており、前記コード開口部の下方かつ前記プラグ収納部の端部に上部排気口を有することを特徴とする電気掃除機。
【請求項２】
請求項１に記載の電気掃除機において、
前記上部排気口は本体前後方向の上部排気口の幅よりも長い壁面を本体内部方向に形成することを特徴とする電気掃除機。
【請求項３】
請求項１に記載の電気掃除機において、
前記コード開口部は電源コード収納時に電源プラグが床と略平行になるように開いており、前記上部排気口がコード開口部に対し上垂直方向に向かい形成されていることを特徴とする電気掃除機。
【発明の詳細な説明】
【技術分野】
【０００１】
本発明は、電気掃除機に関するものである。
【背景技術】
【０００２】
一般的な電気掃除機は、吸口から吸い込んだ含塵空気を掃除機本体に導き、この掃除機本体内の集塵部を通して塵埃を集塵しフィルターを通過させて、塵埃が捕捉され清浄した空気を掃除機本体外に排気する構成である。
【０００３】
電源コードを有する掃除機では、電源コードをコードリールに巻き付けて掃除機本体内に格納しており、本体外郭に電源コードを引き出す開口部が設けられている。
【０００４】
電動送風機から排出された空気の一部は、掃除機運転時に発熱する電源コードを冷却し、前記のコード開口部より掃除機本体外に排気される。
【０００５】
コード開口部より排気される空気は、本来の排気経路にあるフィルターを通過しないため、排気の勢いが強く掃除機周囲の床面の塵を舞い上げてしまう等の問題があり、特許文献１，２のようにコード開口部からの排気に別の排気を当てることで排気の向きを変化させていた。
【０００６】
【特許文献１】特開２００３−１８０５６６号公報
【特許文献２】特開２００５−２１２４４号公報
【発明の開示】
【発明が解決しようとする課題】
【０００７】
しかし、近年の電気掃除機は後方を湾曲させたデザインのものがあり、プラグ収納部の端部も湾曲されて形成されていた。このようなデザインの掃除機ではプラグ収納部の下部面積が本体側面に向かうに従い小さくなり、コード開口部から拡散した排気をプラグ収納部下部で遮ることができなく、床面に向かって排気が流れてしまい床面のごみを舞い上げてしまう。
【０００８】
上記特許文献１、２においては、電気掃除機の後方は直線的に形成されており、後方を湾曲させたものにおいて、床面の塵の舞い上がりを抑制する構成については考慮されていなかった。
【０００９】
さらに、プラグ収納部に設けた排気口の位置がコード開口部に近い場合、プラグ収納部の上部壁面に排気口からの排気や前記排気口からの排気により向きを変化させたコード開口部からの排気が衝突し、床面に排気が流れてしまい床のごみを舞い上げてしまう。
【００１０】
本発明の目的は、上記課題を解決し、電気掃除機の後方を湾曲させた掃除機において床面のごみの舞い上げを抑制した電気掃除機を提供することにある。
【課題を解決するための手段】
【００１１】
本発明は上記課題を解決するために電動送風機とコード収納部を有し、電気掃除機本体外郭に電源コードを引き出すための開口部を有する電気掃除機において、コード開口部からの排気の向きを変化させるために有効な形状の上部排気口を効果的な位置に設けることを特徴とする電気掃除機を提供する。
【発明の効果】
【００１２】
本発明によれば、プラグ収納部端部が湾曲している電気掃除機に対し、プラグ収納部の端部に上部排気口を設けることにより、プラグ収納部下部壁面によって遮ることのできなかった排気の向きを上方に変化させかつプラグ上部壁面への排気の衝突を回避でき、床面のごみの舞い上げを防ぐことができる。
【発明を実施するための最良の形態】
【００１３】
以下本発明の実施例を添付の図面を参照し説明する。
【００１４】
図２は、本発明の一実施の形態を示す電気掃除機の外観斜視図である。図３は集塵部を取り外した掃除機本体と、集塵部を並べて示して斜視図である。
【００１５】
この実施の形態における電気掃除機は、図２に示すように、掃除機本体１００には、ホース１０１の一端が接続され、ホース１０１の他端は手元操作管１０２の一端と接続されている。手元操作管１０２の他端には伸縮継手管１０３の一端が接続され、伸縮継手管１０３の他端には吸口１０４が接続されている。
【００１６】
手元操作管１０２には、掃除機の入り切りや強弱の切り替えを行うスイッチと、運転状況等を表示する操作部が設けられている。なお、掃除機本体１００と接続される側のホース１０１には接続部が設けられており、この接続部を掃除機本体１００に接続している。
【００１７】
掃除機本体１００には、図３に示すように、上方に向かって開口した集塵室２０１と、この集塵室２０１の後方側に配置された電動送風機２０２（図示せず）が備えられている。電動送風機２０２が運転すると、吸引力が発生し、この吸引力によって吸口１０４から塵埃を含んだ空気を吸い込む。
【００１８】
吸い込まれた含塵空気は伸縮継手管１０３と手元操作管１０２とホース１０１を介して掃除機本体１００に吸い込まれ、集塵室２０１に装着された集塵部２０３で塵埃を捕捉（集塵）した後に空気を機外に排気する。集塵部２０３には、取り外し自在な集塵フィルタ２０４が備わる。
【００１９】
掃除機本体１００は、外回りを形成する本体上ケース２０５と本体下ケース２０６と集塵室２０１を開け閉めする外蓋２０７を有する。外蓋２０７は掃除機本体１００に回動自在に支持されている。集塵部２０３の着脱は、外蓋２０７を開いて行なう。
【００２０】
図４は本体上ケース２０５を取り除き，集塵部２０３を取り除いた斜視図である。電気掃除機は電動送風機２０２に隣接して、電動送風機２０２に電力を供給するための電源コード３０１を巻きつけて収納するコードリール３０２を設けている。
【００２１】
図５はコードリールの斜視図である。コードリール３０２はリールＡ４０１、リールＢ４０２の２部品から成る。
【００２２】
図６は掃除機本体を後方から見た図である。電気掃除機本体の後部は曲面の構造をとっており、本体外郭の後方上部に電源コード３０１を外に出すための開口部５０１を設けており、本体内に電源コード３０１を収納した際、コードプラグ先端５０２はコード開口部５０１で本体外に保持され、本体内に引き込まない構成となっている。
【００２３】
図１は本発明の一実施例を表すもので、プラグ収納部を斜め後ろから見た外観斜視図である。
【００２４】
さらに図７、８は図５のＡ−Ａ断面図とＢ−Ｂ断面図である。コード開口部５０１には、開口部付近に壁面７０１をもつ筒状の上部排気口６０１を設けている。上部排気口６０１はコード開口部５０１の下方かつプラグ収納部の端部に設けられている。
【００２５】
プラグ収納部端部が湾曲している電気掃除機に、前記コード開口部５０１下方かつプラグ収納部の端部に上部排気口６０１を設けることの効果を述べる。
【００２６】
プラグ収納部端部が湾曲している場合、プラグ収納部の形状は本体側面に向かうに従いプラグ収納部の下部壁面の面積は小さくなり、コード開口部５０１からの排気が下部壁面で遮ることができなくなる。これにより遮られなった排気が床面に排出されてしまい床面のごみを舞い上げてしまう。
【００２７】
ここでプラグ収納部端部に上部排気口６０１を設け、前記上部排気口６０１から上方向の排気をプラグ収納部下部壁面で遮ることのできなかった排気と衝突させ、コード開口部５０１からの排気が床面に流れることを防ぐ。
【００２８】
一方でプラグ収納部端部でなくコード開口部５０１に近い位置に上部排気口６０１を設けた場合、上部排気口６０１からの排気及び前記上部排気口６０１からの排気により向きを変えた排気がプラグ収納部の上部壁面に衝突してしまい床面に排気が流れてしまう。このため上部排気口６０１の位置はプラグ収納部の端部でなくてはならない。
【００２９】
上部排気口６０１が筒状である効果について述べる。
【００３０】
図８に示すように、上部排気穴６０１は筒状であるため、前記上部排気穴６０１からの排気を整流することができる。これにより排気の方向性を強め、コード開口部５０１からの排気をより確実に上方に向けることができる。また、筒の壁面７０１により上部排気穴６０１から電気掃除機本体の内部が使用者に見えないようにしている。
【００３１】
上部排気口６０１が複数の部品によって形成されるすき間であることの効果を述べる。
上部排気口６０１を複数の部品によって形成することで、筒状の穴を形成する際の型構造に比べ容易に上部排気口６０１を形成できる。
【００３２】
コード開口部５０１は電源コード収納時に電源プラグが床と平行になるように開いている効果を述べる。
【００３３】
コード開口部５０１が上方を向いている場合、電源プラグ先端５０２が上を向いてしまい物を傷付ける可能性がある。
【００３４】
またコード開口部５０１を上方に向けたままプラグ先端５０２を床と平行に向かせるために電源コード３０１を屈曲させると、電源コード３０１を引き出す際に電源コード３０１が傷がついたり、引出力が大きくなり電源コード３０１が引き出しづらく使い勝手が悪くなってしまう。よってコード開口部５０１を電源コード３０１収納時に電源プラグ５０２が床と平行になるように開口することで、使い勝手のよい電気掃除機を提供できる。
【００３５】
上部排気口６０１が上垂直方向に向かい形成されている効果について述べる。
【００３６】
上部排気口６０１からの排気を上垂直方向に向けることでコード開口部５０１からの排気に直角に衝突させることができる。これにより上部排気口６０１のもつ運動量の全てをコード開口部５０１からの排気の向きを変化させるのに使うことができる。
【００３７】
よって、上部排気口６０１からの排気を有効かつ効果的にコード開口部５０１からの排気に衝突させ、排気の向きを確実に変えることができる。
【００３８】
コード開口部５０１の幅内においてコード開口部５０１左端部と上位排気口６０１の左端部、もしくはコード開口部５０１右端部と上部排気口６０１の右端部の電気掃除機本体横方向の距離がコードの直径以上離れている効果について述べる。
【００３９】
プラグ収納部端部全面に上部排気口６０１を設けた場合、上部排気口６０１からの排気が電源コード３０１に衝突し、床面に排気が流れてしまいごみを舞い上げる。そこで上部排気口６０１を電源コード３０１の下方を避ける位置に設けることで、上部排気口６０１からの排気が電源コード３０１に衝突することを防ぎ、これにより床面に排気が流れていくことを防ぐことができる。
【００４０】
以上説明したように本実施の形態によれば、プラグ収納部端部が湾曲している電気掃除機に対し、プラグ収納部の端部に上部排気口を設けることにより、プラグ収納部下部壁面によって遮ることのできなかった排気の向きを上方に変化させかつプラグ上部壁面への排気の衝突を回避でき、床面のごみの舞い上げを防ぐことができる。
【００４１】
また、上部排気口に壁面をつけることで排気の向きを整え、効率よくコード開口部からの排気を変化させることができるうえに、使用者から電気掃除機本体内部を見えなくするという効果も得ることができる。この排気口の壁面を形成する際にプラグ収納部とプラグ収納部を取り付ける部品によって上部排気口を形成することで筒状の穴を形成する型改造に比べ、容易に上部排気口を形成できる。
【００４２】
前記上部排気口を設置する際に最も効果的な状態はコード開口部からの排気に対して直角に上部排気口からの排気を衝突させることだ。コード開口部は電源コード収納時に電源プラグが床と平行になるように形成することで使用者の安全を確保及びコード引き出しの妨げる事の無い状態を作り出せる。
【００４３】
前記の状態のコード開口部からの排気に対して直角に排気を衝突させるには上部排気口を上垂直方向に形成することが必要である。これにより上部排気口からの排気を効率的にコード開口部からの排気に衝突させ、排気の向きを変化させることができる。
【００４４】
上部排気口を電源コードの下方を避ける位置に設けることで、上部排気口からの排気が電源コードに衝突することを防ぎ、これにより床面に排気が流れていくことを防ぐことができる。
【００４５】
以上により、コード開口部からの排気によって床面のごみを舞い上げない使い勝手のよい電気掃除機を提供できる。
【図面の簡単な説明】
【００４６】
【図１】本発明のプラグ収納部の取付状態を表した図である。
【図２】本発明の一実施の形態を示す電気掃除機の外観斜視図である。
【図３】本発明の一実施の形態に係わるもので、集塵部を取り外した掃除機本体と、集塵部を並べて示した斜視図である。
【図４】本発明の一実施の形態に係わるもので、本体ウエケースを取り除き，集塵部を取り除いた斜視図である。
【図５】本発明の一実施の形態に係わるもので、コードリールの斜視図である。
【図６】本発明の一実施の形態に係わるもので、掃除機本体を後方から見た図である。
【図７】本発明の一実施の形態に係わるもので、図５のＡ−Ａ断面図である。
【図８】本発明の一実施の形態に係わるもので、図５のＢ−Ｂ断面図である。
【符号の説明】
【００４７】
１００：掃除機本体
１０１：ホース
１０２：手元操作管
１０３：伸縮継手管
１０４：吸口
２０１：集塵室
２０２：電動送風機
２０３：集塵部
２０４：集塵フィルタ
２０５：本体上ケース
２０６：本体下ケース
２０７：外蓋
３０１：電源コード
３０２：コードリール
４０１：リールＡ
４０２：リールＢ
５０１：コード開口部
５０２：コードプラグ
６０１：上部排気口
７０１：壁面
【図１】
0004920543.tif 000002
【図２】
0004920543.tif 000003
【図３】
0004920543.tif 000004
【図４】
0004920543.tif 000005
【図５】
0004920543.tif 000006
【図６】
0004920543.tif 000007
【図７】
0004920543.tif 000008
【図８】
0004920543.tif 000009